(57)【要約】【課題】外部機器の端子部の端子ピッチに応じて端子間のピッチを、外部から端子を操作することにより簡単に変更することが可能となり、外部機器の端子部との接続を容易に行うことができる。【解決手段】電気機器本体１０１のベース１１上に配列され外部機器と接続される複数の端子２１，２２，２３を有する端子装置２０を備えた電気機器１００であって、前記端子２１，２２，２３の少なくとも一が前記配列方向に移動できる構造を有し、前記複数の端子２１，２２，２３間のピッチが変更できると共に前記端子が移動した位置に付勢手段１１ａ１，１１ａ２により保持される電気機器である。【選択図】図３
2010249603.tif 000002
【特許請求の範囲】
【請求項１】
電気機器本体のベース上に配列され外部機器と接続される複数の端子を有する端子装置を備えた電気機器であって、前記端子の少なくとも一が前記配列方向に移動できる構造を有し、前記複数の端子間のピッチが変更できると共に前記端子が移動した位置に付勢手段により保持される電気機器。
【請求項２】
請求項１に記載の電気機器において、前記配列方向に移動できる構造が、前記端子の少なくとも一と前記ベースとに跨って構成され前記配列方向の移動を許容する係合手段であることを特徴とする電気機器。
【請求項３】
請求項２に記載の電気機器において、前記係合手段は、前記端子の少なくとも一及び前記ベースの何れか一方に設けられたガイド部及び前記端子の少なくとも一及び前記ベースの他方に設けられ前記ガイド部に可移動に係合する突起部により構成されていることを特徴とする電気機器。
【請求項４】
請求項１〜請求項３の何れか一に記載の電気機器において、前記付勢手段は、前記端子に配設された係合孔と、前記ベースに配設され前記係合孔に係合して弾性変形する弾性変形部とで構成されていることを特徴とする電気機器。
【請求項５】
請求項４に記載の電気機器において、前記ベースが合成樹脂で形成され、前記弾性変形部が前記ベースの一部を薄板形状にして形成されていることを特徴とする電気機器。
【請求項６】
請求項４に記載の電気機器において、前記係合孔は、前記配列方向に長い長孔であることを特徴とする電気機器。
【請求項７】
請求項３〜請求項６の何れか一に記載の電気機器において、前記移動できる端子に端子係止部が設けられ、前記ベースに前記端子係止部に係合するベース係止部が設けられていることを特徴とする電気機器。
【請求項８】
電気機器本体のベース上に配列され外部機器と接続される複数の端子を有する電気機器の端子装置であって、前記端子の少なくとも一が前記配列方向に移動できる構造を有し、前記複数の端子間のピッチが変更できると共に前記端子が移動した位置に付勢手段により保持される電気機器の端子装置。
【発明の詳細な説明】
【技術分野】
【０００１】
この発明は、分電盤などの盤内に配置される計測器、電力量計などの電気機器及びその端子装置に関するものである。
【背景技術】
【０００２】
従来、計測器、電力量計などの電気機器の端子装置は、例えば外部機器である配線用遮断器の端子部に電源側の外部端子がブスバーなどを介して接続されるが、配線用遮断器との接続を容易にするため、端子装置の外部端子間のピッチが配線用遮断器の端子部の端子ピッチと同一に形成されていた(例えば、特許文献１参照。)。
【先行技術文献】
【特許文献】
【０００３】
【特許文献１】特開２００６−２１４７６１号公報(図４及びその説明)
【発明の概要】
【発明が解決しようとする課題】
【０００４】
ところが、近年、配線用遮断器の小形化にともなって、配線用遮断器の端子部の端子ピッチが狭くなり、端子装置の外部端子と配線用遮断器の端子部とを接続するためにはブスバーに湾曲等の加工が必要となり、接続作業に困難をきたしていた。
【０００５】
この発明は、上述のような課題を解決するためになされたもので、外部機器の端子部の端子ピッチに応じて外部端子間のピッチを容易に変更できると共に変更した状態を保持することができる電気機器及びその端子装置を得ることを目的とするものである。
【課題を解決するための手段】
【０００６】
この発明に係る電気機器は、電気機器本体のベース上に配列され外部機器と接続される複数の端子を有する端子装置を備えた電気機器であって、前記端子の少なくとも一が前記配列方向に移動できる構造を有し、前記複数の端子間のピッチが変更できると共に前記端子が移動した位置に付勢手段により保持されるものである。
【発明の効果】
【０００７】
この発明は、電気機器本体のベース上に配列され外部機器と接続される複数の端子を有する端子装置を備えた電気機器であって、前記端子の少なくとも一が前記配列方向に移動できる構造を有し、前記複数の端子間のピッチが変更できると共に前記端子が移動した位置に付勢手段により保持される電気機器であるので、外部機器の端子部の端子ピッチに応じて端子間のピッチを、外部から端子を操作することにより簡単に変更することが可能であると共に変更した状態を保持することが可能となり、外部機器の端子部との接続を容易に行うことができる。
【図面の簡単な説明】
【０００８】
【図１】この発明の実施の形態１を示す図で、電気機器の一例を示す図であり、(ａ)全体の外観を示す斜視図、(ｂ)は図１(ａ)に図示の電気機器を分解して示す斜視図である。
【図２】この発明の実施の形態１を示す図で、図１(ａ)に図示の電気機器を下から見た下面図である。
【図３】この発明の実施の形態１を示す図で、図１(ａ)に図示の電気機器から表示装置を取り外した状態を図１(ａ)の矢印III方向に見た図を拡大して斜視平面図として示した図である。
【図４】この発明の実施の形態１を示す図で、図３から可動端子を除いた状態を示す図３相当の拡大斜視平面図である。
【図５】この発明の実施の形態１を示す図で、図４におけるガイド部の一部及びその近傍を更に拡大して示す平面図である。
【図６】この発明の実施の形態１を示す図で、図３における可動端子を電気機器本体の端子装置から取り外してその外観を斜視平面図として示す図であり、(ａ)は第１の可動端子の斜視平面図、(ｂ)は第２の可動端子の斜視平面図である。
【図７】この発明の実施の形態１を示す図で、図６に示す可動端子をその裏側から見た斜視裏面図であり、(ａ)は第１の可動端子の斜視裏面図、(ｂ)は第２の可動端子の斜視裏面図である。
【図８】この発明の実施の形態１を示す図で、図４に示す弾性変形部及びその近傍を更に拡大して示す斜視平面図であり、(ａ)は第１の弾性変形部の斜視平面図、(ｂ)は第２の弾性変形部の斜視平面図である。
【図９】この発明の実施の形態１を示す図で、図３における端子装置の端子間ピッチを変更した状態を示す図３相当の斜視平面図である。
【図１０】この発明の実施の形態２を示す図で、電気機器全体の外観を示す斜視図であり、この発明の実施の形態１の外観図(図１)と同じ図である。
【図１１】この発明の実施の形態２を示す図で、図１０に図示の電気機器を下から見た下面図であり、この発明の実施の形態１の下面図と同じ図である。
【図１２】この発明の実施の形態２を示す図で、図１０に図示の電気機器から表示装置を取り外した状態を図１０の矢印XII方向に見た図を拡大して斜視平面図として示した図である。
【図１３】この発明の実施の形態２を示す図で、図１２から可動端子を除いた状態を示す図１２相当の拡大斜視平面図である。
【図１４】この発明の実施の形態２を示す図で、図１３における図示左側のガイド部の一部及びその近傍を更に拡大して示す平面図である。
【図１５】この発明の実施の形態２を示す図で、図１２における第１の可動端子を電気機器本体の端子装置から取り外してその外観を斜視平面図として示す図である。
【図１６】この発明の実施の形態２を示す図で、図１２における第２の可動端子を電気機器本体の端子装置から取り外してその外観を斜視平面図として示す図である。
【図１７】この発明の実施の形態２を示す図で、図１３に示す第１の弾性変形部及びその近傍を更に拡大して示す斜視平面図であり、(ａ)は第１の弾性変形部の斜視平面図、(ｂ)は第２の弾性変形部の斜視平面図である。
【図１８】この発明の実施の形態２を示す図で、図１２における端子装置の端子間ピッチを変更した状態を示す図１２相当の斜視平面図である。
【発明を実施するための形態】
【０００９】
実施の形態１．
以下この発明の実施の形態１を図１〜図９により説明する。図１は電気機器の一例を示す図であり、(ａ)全体の外観を示す斜視図、(ｂ)は図１(ａ)に図示の電気機器を分解して示す斜視図である。図２は図１(ａ)に図示の電気機器を下から見た下面図である。図３は図１(ａ)に図示の電気機器から表示装置を取り外した状態を図１(ａ)の矢印III方向に見た図を拡大して斜視平面図として示した図である。図４は図３から可動端子を除いた状態を示す図３相当の拡大斜視平面図である。図５は図４におけるガイド部の一部及びその近傍を更に拡大して示す平面図である。図６は図３における可動端子を電気機器本体の端子装置から取り外してその外観を斜視平面図として示す図であり、(ａ)は第１の可動端子の斜視平面図、(ｂ)は第２の可動端子の斜視平面図である。図７は図６に示す可動端子をその裏側から見た斜視裏面図であり、(ａ)は第１の可動端子の斜視裏面図、(ｂ)は第２の可動端子の斜視裏面図である。図８は図４に示す弾性変形部及びその近傍を更に拡大して示す斜視平面図であり、(ａ)は第１の弾性変形部の斜視平面図、(ｂ)は第２の弾性変形部の斜視平面図である。図９は図３における端子装置の端子間ピッチを変更した状態を示す図３相当の斜視平面図である。
【００１０】
図１、２において、電気機器１００は、計測した電力量を表示する電力量表示部１の表示装置１０および表示装置１０で表示された電気量の単位を表示する単位表示部２と、表示装置１０に表示させる電気量を設定及び表示する為の設定切り替えボタン３及び設定表示部４と、一方側に電源側の短冊状の可動端子２２、２３及び短冊状の固定端子２１及び他方側(図１において下側)に負荷側の外部端子１７、１８、１９がそれぞれ設けられた合成樹脂製のベース１１と、電源側の可動端子２２、２３及び固定端子２１をねじ等によって固定させる端子台部５とによって、電気機器１００より電源側の図示しない配線用遮断器と類似の外観に形成されており、図示のように端子装置２０の外部端子２１、２２、２３間のピッチは、前記配線用遮断器における端子部の端子ピッチと同一ピッチ(Ｌ１)になっている。
【００１１】
この端子台部５は、電気機器１００の電気機器本体１０１の端子装置２０から取り外しのできる構造であり、端子台部５を電気機器本体１０１から取り外すことにより電源側の可動端子２２、２３は配列方向(換言すれば可動端子２２、２３の相対的対向方向、あるいは可動端子２２、２３の延在方向と直角を成す方向)に容易に移動可能となる。なお、端子台部５を電気機器本体１０１から取り外さなくてもなくても端子台の形状によっては前記配列方向に移動できるようにすることも可能である。
また、端子台部５を電気機器本体１０１から取り外す事により電源側の可動端子及び固定端子２１、２２、２３は配線用遮断器の負荷側に端子ねじにより接続できる。例えば、電気機器１００が分電盤内に設置されたとき、電源側の可動端子及び固定端子２１、２２、２３は、電気機器本体１０１の端子装置２０から端子台部５を取り外すことにより、電気機器１００の外部機器である例えば配線用遮断器(図示省略)の負荷側に直結され、電気機器１００の負荷側の外部端子１７、１８、１９には負荷側回路(図示省略)が接続される。
また、電源側の可動端子及び固定端子２１、２２、２３および負荷側の外部端子１７、１８、１９には端子ねじ６がそれぞれ螺着されている。
【００１２】
図３、４に示すように、電気機器１００の端子装置２０は、ベース１１上において、平板状をなした短冊状の第２の導体である固定端子２１を挟んで、左側に所定ピッチ(Ｌ１)をおいて平板状をなした短冊状の第１の導体である第１の可動端子２２が、右側に所定ピッチ(Ｌ１)をおいて平板状をなした短冊状の第３の導体である第２の可動端子２３が互いに平行に配列されている(換言すれば可動端子２２、２３の相対的対向方向、あるいは可動端子２２、２３の延在方向と直角を成す方向に配列されている)。そして、この第１および第２の可動端子２２、２３は、後述のように、前記配列方向に移動可能に構成されている。
また、この第１及び第２の可動端子２２、２３は、導体に流れる零相電流を計測する為の零相変流器１４を通している可撓銅撚り線１２と溶接もしくはロウ付け等により接続されている。この可撓銅撚り線１２は、それぞれ導体を流れる電流を計測する為の変流器１３を通した負荷側の外部端子１７、１９と溶接もしくはロウ付け等により接続されている。この変流器１３としては、貫通型変流器やホール素子電流センサなどが適している。電源側の固定端子２１と負荷側の外部端子１９は、零相変流器１４を通している導体１５を通して接続されている。
【００１３】
各端子１７、１８、１９、２１、２２、２３について具体的に説明する。図６、図７に詳細に示すように、第１の可動端子２２の裏面側に突き出た突起部２２ｂ１が設けられ、また突起部２２ｂ１の上側には、表裏に亘って貫通し前記配列方向に長く形成された係合孔２２ａ１が配設され、また突起部２２ｂの下側にはアルファベットのＭの形状に似た凹凸状の端子係止部２２ｃ１が設けられている。
また、第２の可動端子２３の裏面側には第２の可動端子２３から一体をなして突き出た突起部２３ｂ２が設けられ、また突起部２３ｂ２の上側には、表裏に亘って貫通し前記配列方向に長く形成された係合孔２３ａ２が配設され、また、突起部２３ｂ２の下側にはアルファベットのＭの形状に似た凹凸状の端子係止部２３ｃ２が設けられている。
また、第１、第２の可動端子２２、２３及び固定端子２１の各々の先端部近傍には、端子ねじ６を貫通させる為の端子ねじ用孔７が設けられている。
負荷側の外部端子１７、１８、１９には端子ねじ６を螺着させるための雌ねじが形成された雌ねじ８がそれぞれ設けられており、またこれら負荷側の外部端子１７、１８、１９はそれぞれ締付ねじ１７ａ、１８ａ、１９ａによりベース１１に固着されている。
【００１４】
また、図５、図８に詳細に示すように、ベース１１には、第１の可動端子２２が配置される電源側の端部にベース１１の一部を薄板形状にして形成された短冊状の第１の弾性変形部１１ａ１、この第１の弾性変形部１１ａ１の正面側中央部に一体に設けられた係合突起１１a１１、及びベース１１の一部に穿設された略へ字形状(逆Ｖ字形状)の溝により形成された第１のガイド部１１ｃ１と、第２の可動端子２３が配置される電源側の端部にベース１１の一部を薄板形状にして形成された短冊状の第２の弾性変形部１１ａ２、この第２の弾性変形部１１ａ２の正面側中央部に一体に設けられた係合突起１１a２１、及びベース１１の一部に穿設された略へ字形状(逆Ｖ字形状)の溝により形成された第２のガイド部１１ｃ２とがそれぞれ設けられおり、前記第１の弾性変形部１１ａ１の係合突起１１a１１には、前記第１の可動端子２２の係合孔２２ａ１が前記配列方向に移動可能に係合し、前記第２の弾性変形部１１ａ２の係合突起１１a２１には、前記第２の可動端子２３の係合孔２３ａ２が前記配列方向に移動可能に係合する。
前記第１のガイド部１１ｃ１は、図５に詳細に示すように、前記溝内に前記配列方向に所定距離隔てた一対の傾斜部１１ｄ１を持った溝を有し、この傾斜部１１ｄ１を持った溝は、図示のように、その下側の傾斜面部１１ｄＬを上側の傾斜面部１１ｄＵよりも短く構成されており、第１の可動端子２２の突起部２２ｂ１と前記配列方向(可動端子２２、２３の相対的対向方向、あるいは可動端子２２、２３の延在方向と直角を成す方向)移動可能に係合する。
前記第２のガイド部１１ｃ２は、図５に詳細に示すように、前記溝
内に前記配列方向に所定距離隔てた一対の傾斜部１１ｄ２を持った溝を有し、この傾斜部１１ｄ２を持った溝は、図示のように、その下側の傾斜面部１１ｄＬを上側の傾斜面部１１ｄＵよりも短く構成されており、第２の可動端子２３の突起部２３ｂ２と前記配列方向に移動可能に係合する。
なお、上記第１の弾性変形部１１ａ１、第１の係合突起１１ａ１１、及び第１の係合孔２２ａ１、並びに、第２の弾性変形部１１ａ２、第２の係合突起１１ａ２１及び第２の係合孔２３ａ２により、端子付勢手段(換言すれば端子付勢構造)が形成されている。
【００１５】
そして、図３に図示してある状態では、外部端子２１、２２間の前記配列方向のピッチ及び外部端子２１、２３間の前記配列方向のピッチは、それぞれＬ１であるので、図５に示すように、第１の可動端子２２の突起部２２ｂ１は、ベース１１の第１のガイド部１１ｃ１の図示左側底部の位置決め部１１ｅ１に位置しており、同様に、第２の可動端子２３の突起部２３ｂ２は、ベース１１の第２のガイド部１１ｃ２の図示左側底部の位置決め部１１ｇ２に位置している。
【００１６】
また、図３の状態では、第１の弾性変形部１１ａ１の第１の係合突起１１ａ１１が第１の可動端子２２の第１の係合孔２２ａ１に、第２の弾性変形部１１ａ２の第２の係合突起１１ａ２１が第２の可動端子２３の第２の係合孔２３ａ２にそれぞれ嵌合されているので、第１、第２の可動端子２２、２３は前記配列方向には移動せず、さらに、前記ベース１１の第１のベース係止部１１ｂ１及び第２のベース係止部１１ｂ２(図３、図４参照)に第１の可動端子２２の第１の端子係止部２２ｃ１及び第２の可動端子２３の第２の端子係止部２３ｃ２が接触しているので、第１、第２の可動端子２２、２３は、前記配列方向(可動端子２２、２３の相対的対向方向、あるいは可動端子２２、２３の延在方向と直角を成す方向)に対する鉛直方向(換言すれば可動端子２２、２３の相対的対向方向と直角をなす方向、あるいは可動端子２２、２３の延在方向)に移動しないので、結果的に、第１、第２の可動端子２２、２３は、前記配列方向及びその鉛直方向において位置決めされる。換言すれば、第１、第２の可動端子２２、２３は、図３における図示左右方向及び図示上下方向の双方において位置決めされる。
【００１７】
電気機器１００の全体構成は、端子装置２０の中に変流器１３の計測信号に基づいて電力量を演算する電力量計測部３１と、内部電源を供給する電源部３２が組み込まれ、電力量計測部３１と図１に示す電源部３２を収容するように上カバー３３と下カバー３４がベース１１に装着される。ベース１１とカバー３４によって第１、第２の可動端子２２、２３および固定端子２１は挟まれることにより、第１、第２の可動端子２２、２３および固定導体２１は前記鉛直方向(前記配列方向と直角をなす方向、あるいは可動端子２２、２３の相対的対向方向と直角をなす方向、あるいは可動端子２２、２３の延在方向)に固定されている。
【００１８】
次に、電気機器１００の端子装置２０の可動端子２２、２３のピッチ変更について説明する。
最初に、本実施の形態１の電気機器１００の接続対象の外部機器(例えば配線用遮断器)の端子部の端子ピッチがＬ２である場合、本実施の形態１の電気機器１００の外部端子(第１、第２の可動端子２２、２３および固定端子２１)間のピッチは、図３に示す外部端子間ピッチＬ１から、図９に示す外部端子間ピッチＬ２(なお、Ｌ２＜Ｌ１)に変更される。このとき、外部端子を有する両可動端子２２、２３の前記配列方向の移動量ｔ１は、ｔ１＝Ｌ１−Ｌ２である。
【００１９】
以下、可動端子２２、２３のピッチ変更の仕方、各部の動きについて詳細に説明する。
(１)まず、電気機器１００より端子台部５を取外した後、第１の可動端子２２を図１における上方向(可動端子２２、２３の延在方向)に、手で直接あるいは専用治具で、第１の弾性変形部１１ａ１の弾性力に抗して引上げる(即ち、付勢する)。このとき、図５に示すように、第１の可動端子２２の第１の突起部２２ｂ１は、第１のガイド部１１ｃ１の左下底部の位置決め部１１ｅ１から第１の傾斜部１１ｄ１に沿って右上に移動し、係止部１１ｆ１で止まる。
同様にして、第２の可動端子２３を図１における上方向に引上げる。このとき、図５に示すように、第２の可動端子２３の第２の突起部２３ｂ２は、第２のガイド部１１ｃ２の右下底部の位置決め部１１ｅ２から第２の傾斜部１１ｄ２に沿って左上に移動し、係止部１１ｆ２で止まる。
【００２０】
(２)第１の可動端子２２の上方向の付勢を除くと(つまり、前記上方に引き上げる力を解除すると)、第１の弾性変形部１１ａ１の弾性力により第１の可動端子２２は第１の係合突起１１ａ１及び第１の係合孔２２ａ１を介して下方向に戻され、第１の突起部２２ｂ１が第１の係止部１１ｆ１から離れて第１のガイド部１１ｃ１の第１の傾斜部１１ｄ１に沿って右下底部の第１の位置決め部１１ｇ１に移動する。つまり、前記第１の突起部２２ｂ１が第１の位置決め部１１ｅ１から第１の位置決め部１１ｇ１に移動することにより、第１の可動端子２２は、前記配列方向に固定端子２１側へ前記ｔ１(ｔ１＝Ｌ１−Ｌ２)だけ移動する。従って、第１の可動端子２２と固定端子２１との間の配列方向のピッチは、Ｌ１(図３参照)からＬ２(図９参照)に変更される。
なお、第１の可動端子２２の、弾性変形部１１ａ１の係合突起１１ａ１１と係合する係合孔２２ａ１は、前記配列方向に長い長穴に形成されており、前記第１の可動端子２２の前記移動に支障を来さないようにしてある。
同様に、第２の可動端子２３の上方向の付勢を除くと(つまり、前記上方に引き上げる力を解除すると)、第２の弾性変形部１１ａ２の弾性力により第２の可動端子２３は第２の係合突起１１ａ２及び第１の係合孔２３ａ２を介して下方向に戻され、第２の突起部２３ｂ２が第２の係止部１１ｆ２より離れて第２のガイド部１１ｃ２の第２の傾斜部１１ｄ２に沿って第２の位置決め部１１ｅ２に移動する。つまり、前記第２の突起部２２ｂ２が第２の位置決め部１１ｇ２から第２の位置決め部１１ｅ２に移動することにより、第２の可動端子２３は、前記配列方向に固定端子２１側へ前記ｔ１(ｔ１＝Ｌ１−Ｌ２)だけ移動する。従って、第２の可動端子２２と固定端子２１との間の配列方向のピッチは、Ｌ１(図３参照)からＬ２(図９参照)に変更される。
なお、第２の可動端子２３の、弾性変形部１１ａ２の係合突起１１ａ２１と係合する係合孔２３ａ２は、前記配列方向に長い長穴に形成されており、前記第２の可動端子２３の前記移動に支障を来さないようにしてある。
前述の動作において、第１のガイド部１１ｃ１、第２のガイド部１１ｃ２の溝形状が図５に図示のように非対称(略へ字形状)に形成されているので、第１の突起部２２ｂ１、第２の突起部２３ｂ２は、第１の位置決め部１１ｇ１、第２の位置決め部１１ｅ２にスムーズに移動して位置決めされる。
また、３相交流を対象とした電気機器に本実施の形態を適用した場合、前述のように、第１の可動端子２２及び第２の可動端子２３の何れも、前記配列方向に且つ固定端子２１側(中央に位置する端子側)へ移動することで、固定端子２１と第１の可動端子２２及び第２の可動端子２３との前記配列方向のピッチは、接続対象の外部機器(配電用遮断器等)の外部端子の前記配列方向のピッチと同じピッチになるように変更できることになる。
【００２１】
(３)このとき、第１の可動端子２２の端子係止部２２ｃ１(図６、図７参照)も同様に前記配列方向に前記ｔ１だけ移動するが、移動した状態でもベース１１の第１のベース係止部１１ｂ１(図３、図４参照)と接触し、第１の可動端子２２の、前記配列方向と鉛直をなす方向において位置決めされる。
従って、前述のように、第１の可動端子２２は、図３における図示左右方向及び図示上下方向の双方において位置決めされる。
同様に、第２の可動端子２３の端子係止部２３ｃ２(図６、図７参照)も同様に前記配列方向に前記ｔ１だけ移動するが、移動した状態でもベース１１の第２のベース係止部１１ｂ２(図３、図４参照)と接触し、第２の可動端子２３の、前記配列方向と鉛直をなす方向において位置決めされる。
従って、前述のように、第２の可動端子２３は、図３における図示左右方向及び図示上下方向の双方において位置決めされる。
【００２２】
(４)前述のようにして、第１および第２の可動端子２２、２３を配列方向にそれぞれｔ１移動することによって、端子装置２０の外部端子間は、図３に示すピッチＬ１から図９に示すピッチＬ２に変更でき、固定端子２１と第１の可動端子２２及び第２の可動端子２３との前記配列方向のピッチを、接続対象の外部機器(配電用遮断器等)の外部端子の前記配列方向のピッチと同じピッチになるように変更できることになる。
なお、図３に示すピッチＬ１から図９に示すピッチＬ２への変更を許容するように、固定端子２１の前記配列方向の両側に位置する第１及び第２の上カバー取付支柱部１１p1、１１p2と第１および第２の可動端子２２、２３との間あるいはベース１１の前記配列方向の両側のベース側壁部１１s1、１１s2との間にはピッチ変更許容空間Lg1が形成されている。このピッチ変更許容空間Lg1は、図３の状態(前記ピッチＬ１の状態)では、第１の可動端子２２と第１の上カバー取付支柱部１１p1との間、及び第２の可動端子２３と第２の上カバー取付支柱部１１p2との間に形成され、図９の状態(前記ピッチＬ２の状態)では、第１の可動端子２２とベース側壁部１１s1との間、及び第２の可動端子２３とベース側壁部１１s2との間に形成されている。これらピッチ変更許容空間Lg1の存在により、前記第１および第２の可動端子２２、２３の前記配列方向への前記ｔ１の移動が可能である。
ピッチ変更許容空間Lg1の存在は、第１および第２の可動端子２２、２３とベース１１との間に、外部空間に繋がる隙間が生じることになるが、この外部空間に繋がる隙間は、端子台部５をベース１１に取り付けたときに端子台部５により覆われ外部空間から遮断される。
【００２３】
本実施の形態の端子装置によれば、外端に外部端子を有する固定端子２１を挟んで左右両側に、外端に外部端子を有する第１および第２の可動端子２２、２３をそれぞれベース１１上に配列し、このベース１１に第１および第２の可動端子２２、２３の突起部２２ｂ１、２３ｂ２と係合して第１および第２の可動端子２２、２３を移動可能にガイドする第１および第２のガイド部１１ｃ１、１１ｃ２を設けたことにより、外部機器の端子部の端子ピッチに対応して第１および第２の可動端子２２、２３を配列方向に容易に変更することが可能となり、外部機器との接続を容易に行うことができる。
【００２４】
また、第１および第２の可動端子２２、２３の突起部２２ｂ１、２３ｂ２をガイドする第１のガイド部１１ｃ１および第２のガイド部１１ｃ２は、それぞれ位置決め部１１ｅ１、１１ｇ１、１１ｅ２、１１ｇ２を有しさらに、第１および第２の可動端子係止部２２ｃ１、２３ｃ２と第１および第２のベース係止部１１ｂ１、１１ｂ２をそれぞれ設けたので、両可動端子を配列方向及び配列方向と鉛直をなす方向に対して位置決めできる。また弾性変形部１１ａの係合突起部１１ａ１１、１１ａ２１と可動端子の係合孔２２ａ１、２３ａ２との係合によって、両可動端子２２、２３を上下方向に位置決めできる。
さらにまた、ベース１１を合成樹脂で形成し、第１の弾性変形部１１ａ１及び第２の弾性変形部１１ａ２をベース１１の一部を薄板形状にして形成したので、例えば、金属製の板ばね等を用いずに弾性作用を得ることができ、コストを安くできるという効果がある。
【００２５】
なお、本実施の形態では、ガイド部１１ｃ１、１１ｃ２をへ字形状の溝としたが、Ｗ字状溝とすれば、第１、第２、第３の位置に位置決め可能となる。また、へ字形状の溝は例えばＶ字など他の形状であってもよい。また、ガイド部１１ｃ１、１１ｃ２の溝の形状を変更すれば、位置決めの数に制限がないことも明らかである。
【００２６】
また、本実施の形態では、第１および第２の可動導体４、６が位置決め部から外れるための移動方向を図１、７において上下方向で同じ移動方向としたが、例えば負荷側の第１のＵ字状溝７ｂを上下反転して形成し、上下方向で反対の移動方向となるように構成してもよい。
【００２７】
実施の形態２．
以下この発明の実施の形態２を図１０〜図１８により説明する。図１０は電気機器全体の外観を示す斜視図であり、この発明の実施の形態１の外観図(図１)と同じ図である。図１１は図１０に図示の電気機器を下から見た下面図であり、この発明の実施の形態１の下面図と同じ図である。図１２は図１０に図示の電気機器から表示装置を取り外した状態を図１０の矢印XII方向に見た図を拡大して斜視平面図として示した図である。図１３は図１２から可動端子を除いた状態を示す図１２相当の拡大斜視平面図である。図１４は図１３における図示左側のガイド部の一部及びその近傍を更に拡大して示す平面図である。図１５は図１２における第１の可動端子を電気機器本体の端子装置から取り外してその外観を斜視平面図として示す図である。図１６は図１２における第２の可動端子を電気機器本体の端子装置から取り外してその外観を斜視平面図として示す図である。図１７は図１３に示す第１の弾性変形部及びその近傍を更に拡大して示す斜視平面図であり、(ａ)は第１の弾性変形部の斜視平面図、(ｂ)は第２の弾性変形部の斜視平面図である。図１８は図１２における端子装置の端子間ピッチを変更した状態を示す図１２相当の斜視平面図である。
【００２８】
ここで、本実施の形態２では、前述の実施の形態１とは逆に、ガイド部2211c1、2211c2を第１、第２の可動端子２２、２３の側に設け、ガイド部2211c1、2211c2に可移動に係合する突起部２２ｂをベース１１側に設けたものであり、その他の構成及び動作については、前述の実施の形態１と同じであるので詳細説明は割愛する。
【００２９】
なお、図１〜図１８の各図中、同一符合は同一又は相当部分を示す。
【００３０】
前述のように、この発明は、以下の技術的特徴を有している。
〔特徴１〕
電気機器本体のベース上に配列され外部機器と接続される複数の端子を有する端子装置を備えた電気機器であって、前記端子の少なくとも一が前記配列方向に移動できる構造を有し、前記複数の端子間のピッチが変更できると共に変更した状態を保持することができる電気機器。
〔特徴２〕
特徴１に記載の電気機器において、前記配列方向に移動できる構造が、前記端子の少なくとも一と前記ベースとに跨って構成され前記配列方向の移動を許容する係合手段であることを特徴とする電気機器。
〔特徴３〕
特徴２に記載の電気機器において、前記係合手段は、前記端子の少なくとも一及び前記ベースの何れか一方に設けられたガイド部及び前記端子の少なくとも一及び前記ベースの他方に設けられ前記ガイド部に可移動に係合する突起部により構成されていることを特徴とする電気機器。
〔特徴４〕
特徴１〜特徴３の何れか一に記載の電気機器において、前記付勢手段は、前記端子に配設された係合孔と、前記ベースに配設され前記係合孔に係合して弾性変形する弾性変形部とで構成されていることを特徴とする電気機器。
〔特徴５〕
特徴４に記載の電気機器において、前記ベースが合成樹脂で形成され、前記弾性変形部が前記ベースの一部を薄板形状にして形成されていることを特徴とする電気機器。
〔特徴６〕
特徴４に記載の電気機器において、前記係合孔は、前記配列方向に長い長孔であることを特徴とする電気機器。
〔特徴７〕
特徴３〜特徴６の何れか一に記載の電気機器において、前記移動できる端子に端子係止部が設けられ、前記ベースに前記端子係止部に係合するベース係止部が設けられていることを特徴とする電気機器。
〔特徴８〕
電気機器本体のベース上に配列され外部機器と接続される複数の端子を有する電気機器の端子装置であって、前記端子の少なくとも一が前記配列方向に移動できる構造を有し、前記複数の端子間のピッチが変更できると共に前記端子が移動した位置に付勢手段により保持される電気機器の端子装置。
〔特徴９〕
ベースと、このベース上に間隔をおいて配列され、端部に固定端子と可動端子とを備えた端子装置において、
前記可動端子およびベースのいずれか一方に係合用の突起部、他方に該突起部と係合して前記可動端子を配列方向に移動可能にガイドするガイド部とを有し、
前記可動端子は前記配列方向と略直角方向に付勢手段により付勢され前記突起部が前記ガイド部内で前記配列方向に移動した位置で保持されること特徴とする端子装置。
〔特徴１０〕
前記ガイド部は略へ字形状に形成され、前記突起部が所定の配列方向に移動させ易くする傾斜面を設けたことを特徴とする特徴９に記載の端子装置。
〔特徴１１〕
前記付勢手段は、前記可動端子に配設された係合孔とこの係合孔に係合して弾性変形する前記ベースに配設された弾性変形部とで形成されることを特徴とする特徴１０または特徴１０記載の端子装置。
〔特徴１２〕
前記ベースを合成樹脂で形成させ、前記弾性変形部を前記ベースの一部を薄板形状にして形成させたことを特徴とする特徴９ないし特徴１１のいずれか一に記載の端子装置。
〔特徴１３〕
前記係合孔は、長孔であることを特徴とする特徴１１に記載の端子装置。
〔特徴１４〕
前記可動端子に端子係止部を配設すると共に、前記ベースに前記端子係止部に係合するベース係止部を設けたことを特徴とする特徴９ないし特徴１３のいずれか一に記載の端子装置。
【符号の説明】
【００３１】
１    電気量表示部、                ２    単位表示部、
３    設定切替ボタン、              ４    設定表示部、
５    端子台部、                    ６    端子ねじ、
７    端子ねじ用孔、                ８    雌ねじ
１０    表示装置、                  １１    ベース、
１１ａ１    第１の弾性変形部(付勢手段)、
１１ａ２    第２の弾性変形部(付勢手段)、
１１ｂ１    第１のベース係止部、    １１ｂ２    第２のベース係止部、
１１ｃ１    第１のガイド部、        １１ｃ２    第２のガイド部、
１１ｄ１    第１の傾斜部、          １１ｄ２    第２の傾斜部、
１１dL    下側の傾斜面部、          １１dU    上側の傾斜面部、
１１ｅ１    第１の位置決め部、      １１ｅ２    第２の位置決め部、
１１p1、１１p2    第１の上カバー取付支柱部、
１１s1、１１s2    ベース側壁部、    １２    可撓銅撚り線、
１３    変流器、                    １４    零相変流器、
１５    導体、                      １７    負荷側端子、
１７ａ    締付ねじ、              １８    負荷側端子、
１８ａ    締付ねじ、              １９    負荷側端子、
１９ａ    締付ねじ                ２０    端子装置、
２１    固定端子、                  ２２    第１の可動端子、
２２a１    第１の係合孔(付勢手段)、
２２b１    第１の突起部、          ２２ｃ１    第１の端子係止部、
2211c1、2211c2    ガイド部、        2211d1、2211d2    傾斜部、
２３    第２の可動端子、            ２３a２    第２の係合孔(付勢手段)、
２３b２    第２の突起部、          ２３ｃ２    第２の端子係止部、
３１    電力量計測部、              ３２    電源部、
３３    上カバー、                  ３４    下カバー
１００    電気機器、                １０１    電気機器本体、
Lg1    ピッチ変更許容空間。
【図１】
2010249603.tif 000003
【図２】
2010249603.tif 000004
【図３】
2010249603.tif 000005
【図４】
2010249603.tif 000006
【図５】
2010249603.tif 000007
【図６】
2010249603.tif 000008
【図７】
2010249603.tif 000009
【図８】
2010249603.tif 000010
【図９】
2010249603.tif 000011
【図１０】
2010249603.tif 000012
【図１１】
2010249603.tif 000013
【図１２】
2010249603.tif 000014
【図１３】
2010249603.tif 000015
【図１４】
2010249603.tif 000016
【図１５】
2010249603.tif 000017
【図１６】
2010249603.tif 000018
【図１７】
2010249603.tif 000019
【図１８】
2010249603.tif 000020